(57)【要約】      （修正有）【課題】電力自由化に伴いＰＰＳと電気需要家間で自由な電気売買が可能になるため、インターネットに接続されたこのＰＲＯネットシステムを利用し、電気コストを可能な限り低減する。【解決手段】電力使用状況に関するデータと発電事業に関するデータをインターネット経由で逐一ＰＲＯパックサーバー１０に伝送しその需要状況と供給状況のデータから電気需要家１１とＰＰＳ２０それぞれをグルーブ分けしてグループ同士での効率の良い電力売買を可能にし、また一層の電力コスト低減を目的とし供給側から提示されるコスト低減のための最適な供給状況に電力需要を少しでも近づけるためＰＲＯパックサーバー１０からその電気需要家グループに対して自動的に一括でかつ個々の電気需要家別の状況に沿つた需要電力調整指令を発令しまた逆に同目的のためＰＰＳに対して自動的に一括でかつ個々のＰＰＳ別の状況に沿った発電容量変更指令を発令する。【選択図】図１
2005057814.tif 000002
【特許請求の範囲】
電気需要家の電力使用量、ピーク電力及び電力に関する情報（以下ＥＤ情報と呼ぶ）を計測、インターネットで標準的に利用されているプロトコル（以下ＴＣＰ／ＩＰと呼ぶ）により他に設置された本発明の中心的存在となるサーバー（以下ＰＲＯパックサーバーと呼ぶ）へその情報を伝送、逆にＴＣＰ／ＩＰにてＰＲＯパックサーバーから発せられた指令を逐一受け入れその指令を外部へ出力、また必要に応じてそれ自体に制御プログラムを入力出来る様に工夫された装置（以下ＰＲＯパックと呼ぶ）を電気需要家に設置してインターネット網に接続する。また発電事業者及び特定規模電気事業者（以下ＰＰＳと称す）の発電量、発電可能最大電力量、そのＰＰＳの時間帯別発電量別により変動する電力販売価格（販売希望価格も含む）などの発電事業に関する情報（以下ＰＰＳ情報と呼ぶ）を計測及び入力、ＴＣＰ／ＩＰによりＰＲＯパックサーバーへその情報を伝送、逆にＴＣＰ／ＩＰにてＰＲＯパックサーバーから発せられた指令を逐一受け入れその指令を外部へ出力、また必要に応じてそれ自体に制御プログラムを入力出来る様工夫された装置（以下ＰＰＳ用ＰＲＯパックと呼ぶ）も同時にＰＰＳに設置してインターネット網に接続する。
インターネット網に接続された以上のＰＲＯパックサーバー，ＰＲＯパック，ＰＰＳ用ＰＲＯパックから構成されるネットワークをＰＲＯネットシステムと称することとする。
【請求項１】
上記のＰＲＯネットシステムを利用し、ＰＲＯパックサーバーに集積されるＥＤ情報並びにＰＰＳ情報を分析し電力販売価格削減の目的のために電気需要家及びＰＰＳそれぞれをグループに分け１つのＰＰＳグループのトータル的な電力供給曲線とそれに見合ったトータル的な電気需要曲線を持つ１つの電気需要家グループを作り出し（１つの電気需要家グループのトータル的な電気需要曲線とそれに見合ったトータル的な電力供給曲線を持つ１つのＰＰＳグループを作り出すと言い変える事も出来る）、そのグループ対グループでの電力売買が円滑に遂行される様に工夫したビジネスモデル。
【請求項２】
上記のビジネスモデルにより電気需要家グループ対ＰＰＳグループで電力売買が成立した場合で各電気需要家のピーク電力の抑制や電気使用量の制限並びにそれらの時間的シフト（以下需要電力調整と呼ぶ）を電気需要家が自ら実行することにより一層の電力販売価格の引き下げをＰＰＳに対して要求できる場合ＰＲＯパックサーバーより各電気需要家グループのＰＲＯパックに対して一括でかつ個々の電気需要家別の状況に沿った需要電力調整の指令を発令するシステム。
ＰＰＳグループ側から見ればその電気需要家グループの需要電力調整は、電気需要家グループ全体で実行してもらえればよい訳で、仮にグループ内のＡという電気需要家で需要電力調整が不可能な場合でも同一グループ内のＢという電気需要家がＡの分を含めて需要電力調整を実行すればよいことになり、この様にグループ内全体に対して需要電力調整が一括で行える様に工夫されたシステム。
【請求項３】
ＰＲＯネットシステムを利用しＰＰＳグループ内の発電所に事故が生じて必要な電力を供給できなくなった場合、そのＰＰＳグループより電力供給を受けている電気需要家グループ内の一部もしくは全ての電気需要家に対し前もって設置してある電力遮断機を遮断する指令（以下電力遮断指令と呼ぶ）を発令し一部もしくは全ての電力需要を停止し、電力会社からの事故時バックアップ電力を享受しないで済むように構築したシステム。
【請求項４】
ＰＰＳ発電所とそこから電力供給を受ける電気需要家との間に距離があり、他の電力会社管内を経由して電力が供給される場合、その経由する電力会社（以下経由電力会社と称す）に対して振替供給料金を支払わなくてはならないが、その供給ルートと相反する供給ルート（つまりＡ電力会社管内にあるＰＰＳの発電所で発電された電力がＢ電力会社管内を経由してＣ電力会社管内の電気需要家に供給されるルートの場合反対にＣ電力会社管内にあるＰＰＳの発電所で発電された電力がＢ電力会社管内を経由してＡ電力会社管内の電気需要家に供給されるルートのこと）もありえるためＰＲＯネットシステムを利用し同一時間において供給ルートを流れる電力とその相反する供給ルートを流れる電力の差についてのみ経由電力会社に対して振替供給料金を支払えば済む様なＰＰＳグループと電気需要家グループを作り出すビジネスモデル。
【発明の詳細な説明】
【０００１】
【発明が属する技術分野】
ＰＲＯネットシステムを利用しＰＰＳ情報とＥＤ情報を集積かつ分析、最大限電力販売価格を引き下げられるようにＰＰＳ及び電気需要家を最適なそれぞれのグループに分けてそれぞれのグループ同士で電力売買が円滑に遂行出来るように工夫したビジネスモデルであり、ＰＰＳグループに対しては効率を良くするための発電容量変更指令を、電気需要家のグループに対しては需要電力調整または電力遮断指令を自動的に一括でかつ個々のＰＰＳ電気需要家別の状況に沿って発令出来る様工夫したインターネット網を利用したネットワーク技術。
【０００２】
【従来の技術】
従来は、１つの電気需要家に対してそのピーク電力を計測し電気基本料金を算出していたため、同一企業でも所在地が分散していると、それぞれの所在地で計測されたピーク電力によりそれぞれの基本料金が算出され、ピーク電力の発生時期が所在地ごとずれていても基本料金は、全てのピーク電力値の合計から計算されたのと等しかった。
【０００３】
電力自由化後ＰＰＳは契約相手の電気需要家から契約のピーク電力以上の電力需要があると発電量が追いつかない恐れがあり不足した場合その不足分は電力会社から高額で購入しなければならず、またそのリスク回避のためＰＰＳは、契約のピーク電力以上の電力需要にも対応出来る様余裕をもった発電設備を設置しなければならず、結果として全体的な稼働率が下がり、従ってどちらにしろ電気販売価格が引き上げられる結果となってしまった。
【０００４】
ＰＰＳ発電所が事故を起こし必要な電力を電気需要家に供給できなくなってしまった場合電力会社からのバックアップ電力により停電は免れるが、そのために電力会社と事故時補給の契約を絶対的に締結する必要があり結果として電力販売価格に上乗せせざるを得なかった。
【０００５】
ＰＰＳ発電所と電気需要家が離れている場合経由電力会社の送電線を経由して電力を託送するため経由電力会社へ振替供給料金を支払わなければならず、この料金も電力販売価格に上乗せせざるを得なかった。
【０００６】
小さな電気需要家の場合消費電力量が比較的少ないため結果として電力自由化後に電力料金が上昇する可能性があった。
【０００７】
【発明が解決しようとする課題】
ＰＰＳと電気需要家の大量のＰＰＳ情報とＥＤ情報をインターネット網を利用しＰＲＯパックサーバーに集積し分析できるネットワークを構築する。
【０００８】
需要電力調整電力遮断指令を多数の電気需要家へ、発電容量変更指令を多数のＰＰＳへ同時期に自動的に一括でかつ個々の電気需要家ＰＰＳ別の状況に沿って発令出来るネットワークを構築する。
【０００９】
多数に存在するＰＰＳと電気需要家を電力販売価格の低減を目的としそれぞれをグループ分けし、グループ同士で電力の売買契約を締結できるようなビジネスモデルを作る。
【００１０】
ＰＰＳ発電所に事故が生じた場合その電力供給先の電気需要家の電力需要を自動的に一括でかつ個々の電気需要家別の状況に沿って停止できるようネットワークを構築する。
【００１１】
ＰＰＳの提示する電力販売価格を一段と引き下げられるように、電気需要家グループが自らその需要電力調整をグループ内全体で自動的に一括でかつ個々の電気需要家別の状況に沿って行えるように構築する。
【００１２】
【課題を解決するための手段】
電気需要家にＰＲＯパックを設置してＥＤ情報を収集、またＰＰＳにはＰＰＳ用ＰＲＯパック設置してＰＰＳ情報を収集しそれらの情報をインターネット網を介してＰＲＯパックサーバーへ逐一伝送し、集積解析を行うようなネットワークを構築する。
【００１３】
需要電力調整や電力遮断指令などをＰＲＯパックサーバーから１つのグループの各電気需要家に設置したＰＲＯパックへ、発電容量変更指令などをその電気需要家グループに電力供給しているＰＰＳグループの各ＰＰＳに設置したＰＰＳ用ＰＲＯパックへ自動的に一括でかつ個々の電気需要家ＰＰＳ別の状況に沿ってインターネットを介して発令できるネットワークを構築する。
【００１４】
ＰＲＯパックを設置した電気需要家において、需要電力調整可能電気負荷をＰＲＯパックと制御線で接続しＰＲＯパックからの出力で電力調整が出来るようにする。
【００１５】
ＰＲＯパックを設置した電気需要家に電力負荷の一部または全てを遮断できるように電力遮断機を設ける。
【００１６】
【発明の実施の形態】
ＰＲＯパックＰＰＳ用ＰＲＯパックをインターネット網に接続して、ＰＰＳ情報やＥＤ情報をＰＲＯパックサーバーに伝送する。またＰＲＯパックサーバーから需要電力調整や電力遮断指令をＰＲＯパックへ、また発電容量変更指令をＰＰＳ用ＰＲＯパックへ一括でかつ個々の電気需要家ＰＰＳ別の状況に沿って発令出来る一連のシーケンスを自動化した形態を持つ。
【００１７】
【実施例】
図１は、電気需要家に設置されたＰＲＯパックを中心とした接続実施例である。
【００１８】
この図において１１の電気需要家の電力使用量ピーク電力を１の電力計量装置で計量し、７の電力量データ通信線を介して５のＰＲＯパックへデータが送られる。
そのデータは逐一９のインターネット網を通じて１０のＰＲＯパックサーバーへ伝送される。
１０のＰＲＯパックサーバーには、他のＰＲＯパックからも同様のデータが伝送され、大量のＥＤ情報が集積される。
【００１９】
図２は、ＰＰＳに設置されたＰＰＳ用ＰＲＯパックを中心とした接続実施例である。
この図において２０のＰＰＳ発電所内の２１の発電駆動部のエネルギーにより２２の発電機が駆動され発電された電力は２３の電力線を経由して電気需要家へ供給されるが、この時２４の発電量計量装置で発電量が計測され、２７の発電量データ通信線を介して２５のＰＰＳ用ＰＲＯパックへデータが送られる。
このデータは、逐一９のインターネット網を介して１０のＰＲＯパックサーバーへ伝送される。
１０のＰＲＯパックサーバーには、他のＰＰＳ用ＰＲＯパックからも同様のデータが伝送され大量のＰＰＳ情報が集積される。
【００２０】
１０のＰＲＯパックサーバーは、集積されたＥＤ情報ＰＰＳ情報を元に最適の取引条件（電力販売価格を最大限低減する条件）でグループ同士が電力売買を円滑に遂行できるよう電気需要家とＰＰＳそれぞれをグループ分けする。
【００２１】
一層の電力販売価格の引き下げを目的として需要電力調整を実施しようと判断された場合１０のＰＲＯパックサーバーは９のインターネット網を介して各電気需要家グループの５のＰＲＯパックに対して需要電力調整の指令を発令する。
指令を受けた５のＰＲＯパックは、その指令を１２の需要電力調整制御線を介して６の需要電力調整可能電気負荷をコントロールし電力量を低減したり、その使用時間帯をシフトしたりする。
この際ＰＰＳグループ側から見ればその電気需要家グループの需要電力調整は、電気需要家グループ全体で実行してもらえればよい訳で、仮にグループ内のＡという電気需要家で需要電力調整が不可能な場合でも同一グループ内のＢという電気需要家がＡの分を含めて需要電力調整を実行すればよいことになる。
【００２２】
また電力販売価格の一層の低減を図る目的で、発電容量を変動させる必要があると判断された場合１０のＰＲＯパックサーバーは直ちに９のインターネット網を介して２０のＰＰＳ発電所内の２５のＰＰＳ用ＰＲＯパックへ発電容量変更指令を発令、２５のＰＰＳ用ＰＲＯパックは、２６の発電容量変更指令制御線を介し２１の発電駆動部をコントロールして発電容量を制御する。
【００２３】
２０のＰＰＳ発電所に事故が生じた場合２５のＰＰＳ用ＰＲＯパックは直ちに９のインターネット網を介して１０のＰＲＯパックサーバーへその情報を伝送し、１０のＰＲＯパックサーバーは状況に応じて５のＰＲＯパックに対して電力遮断指令を発令し、それを受けた５のＰＲＯパックは８の電力遮断機制御線を介して３の電力遮断機を遮断させる。
【００２４】
【発明の効果】
ＰＰＳグループと電気需要家グループとのグループ間での電力売買が円滑に遂行され、その結果電力販売価格が引き下げられる。
電気需要家グループ全体での需要電力調整により、より一層の電力料金引き下げが可能となる。
電気需要家の負荷変動に伴う、またはＰＰＳの発電所の事故による不足電力に対して電力会社へ支払う負荷変動対応電力料金や事故時補給電力料金の支払いを削除または削減できる。
電力託送時に発生する経由電力会社に対して支払う振替供給料金を低減できる。
【図面の簡単な説明】
【図１】本発明の電気需要家に設置されたＰＲＯパックを中心とした接続実施例である。
【図２】本発明のＰＰＳに設置されたＰＰＳ用ＰＲＯパックを中心とした接続実施例である。
【符号の説明】
１：電力計量装置
２：電力線
３：電力遮断機
４：受電設備
５：ＰＲＯパック
６：需要電力調整可能電気負荷
７：電力量データ通信線
８：電力遮断機制御線
９：インターネット網
１０：ＰＲＯパックサーバー
１１：電気需要家
１２：需要電力調整制御線
２０：ＰＰＳ発電所
２１：発電駆動部
２２：発電機
２３：電力線
２４：発電量計量装置
２５：ＰＰＳ用ＰＲＯパック
２６：発電容量変更指令制御線
２７：発電量データ通信線
【図１】
2005057814.tif 000003
【図２】
2005057814.tif 000004
【手続補正書】
【提出日】平成16年5月7日(2004.5.7)
【手続補正１】
【補正対象書類名】明細書
【補正対象項目名】全文
【補正方法】変更
【補正の内容】
【特許請求の範囲】
【請求項１】一般電気事業者の届け出た接続供給約款に基づく電気料金を算定する上で規定されている時限（以下規定時限と呼ぶ）での電気需要家の電力使用量最大需要電力及びその翌日以降の各規定時限での予想される電力使用量（以下予想電力使用量と呼ぶ）などの電力使用状況に関する情報（以下ＥＤ情報と呼ぶ）の計測及び入力が出来、また最大需要電力の抑制電気使用量の制限（遮断も含む）並びにそれらの時間的シフト（以下需要電力調整と呼ぶ）のために運転の制御が可能な電気機器（以下ＰＲＯ制御対象機器と呼ぶ）を制御する書き換え自由なプログラム（以下ＰＲＯパックプログラムと呼ぶ）が内蔵され、ＰＲＯパックプログラムに従いもしくは遠方から発令される指令に従ってＰＲＯ制御対象機器の運転を制御し、また必要に応じて遠方からＰＲＯパックプログラムの書き換えができるように工夫された装置（以下ＰＲＯパックと呼ぶ）を電気需要家に設置する。
発電事業者及び特定規模電気事業者（以下ＰＰＳと呼ぶ）の規定時限での発電量、発電可能最大電力量、時間帯別発電量別により変動する電力取引価格（販売希望価格も含む）などの電気事業に関する情報（以下ＰＰＳ情報と呼ぶ）の計測及び入力が出来、またＰＰＳの機器（以下ＰＰＳ制御対象機器と呼ぶ）を制御する書換え自由なプログラム（以下ＰＰＳ用ＰＲＯパックプログラムと呼ぶ）が内蔵され、ＰＰＳ用ＰＲＯパックプログラムに従いもしくは遠方から発令される指令に従ってＰＰＳ制御対象機器の運転を制御し、必要に応じて遠方からＰＰＳ用ＰＲＯパックプログラムの書き換えができるように工夫された装置（以下ＰＰＳ用ＰＲＯパックと呼ぶ）をＰＰＳに設置する。
インターネット等の通信手段を用いてリアルタイムでＰＲＯパック並びにＰＰＳ用ＰＲＯパックからの情報収集、それらに対して指令の発令及びプログラムの変更ができる様に工夫したサーバー（以下ＰＲＯパックサーバーと呼ぶ）を特定の場所に設置する。
以上のＰＲＯパック、ＰＰＳ用ＰＲＯパック、ＰＲＯパックサーバーをインターネット等の通信手段を用いて連結し構築したネットワークをＰＲＯネットシステムと称することとする。
ＰＲＯネットシステムを利用し、ＰＲＯパックサーバーに集積されるＥＤ情報並びにＰＰＳ情報を分析し、電気需要家及びＰＰＳそれぞれでグループ（ここで言うグループとは単独の場合も含む）を作り１つのＰＰＳグループのトータル的な電力供給曲線とそれに見合ったトータル的な電気需要曲線を持つ１つの電気需要家グループ（１つの電気需要家グループのトータル的な電気需要曲線とそれに見合ったトータル的な電力供給曲線を持つ１つのＰＰＳグループと言い換えることも出来る）同士で効率よく円滑に電力取引が遂行され電力取引価格が低減出来る様に工夫したビジネスモデル。
【請求項２】電気需要家が需要電力調整を自ら実行することにより一層の電力取引価格の引き下げをＰＰＳに対して要求できる場合（逆にＰＰＳが電気需要家に対して需要電力調整を要請することによりＰＰＳが自ら電力取引価格の引き下げを申し出る場合も含む）ＰＲＯパックサーバーより電気需要家グループのＰＲＯパックに対して一括でかつ個々の電気需要家別の事情に沿った需要電力調整の指令を発令するシステム。
ＰＰＳグループ側から見ればその電気需要家グループの需要電力調整は、電気需要家グループ全体で実行してもらえばよい訳で、仮にグループ内のＡという電気需要家の需要電力調整が不可能な場合でも同一グループ内のＢという電気需要家がＡの分を含めた需要電力調整を実行すればよいことになり、この様にグループ内全体に対して需要電力調整が一括で行えるように工夫されたシステム。
【請求項３】ＰＰＳグループ内の発電所に事故等が生じ電気需要家グループの需要電力に沿った電力供給が不可能となった場合一部もしくは全ての電気需要家に対して前もって設置してある電力遮断機を遮断する指令（以下電力遮断指令と呼ぶ）を発令し一部もしくは全ての電力需要を停止させ電力供給が可能になった時点で電気遮断機を自動的に復帰させ、電力会社からの事故時バックアップ電力を享受しないでも済むようにＰＲＯネットシステムを利用して構築したシステム。
【請求項４】ＰＰＳ発電所とそこから電力供給を受ける電気需要家との間において、その供給ルートが他の電力会社管内を経由する場合、ＰＲＯネットシステムを利用して同一規定時限に於いてその供給ルートを流れる電力とその相反する供給ルート（つまりＡ電力会社管内にあるＰＰＳの発電所で発電された電力がＢ電力会社管内を経由してＣ電力会社管内の電気需要家に供給されるルートの場合反対にＣ電力会社管内にあるＰＰＳの発電所で発電された電力がＢ電力会社管内を経由してＡ電力会社管内の電気需要家に供給されるルートのこと）を流れる電力の差についてのみ経由電力会社に対して振替供給料金を支払えは済むようなＰＰＳグループと電気需要家グループを作り出すビジネスモデル。
【請求項５】ＥＤ情報及びＰＲＯパックサーバーが独自に収集した環境情報などを元に予想電力使用量を予想しその値をＰＰＳ等に通知し、かつ実際のその各規定時限での電力使用量が既に通知された予想電力使用量を上回らない様ＰＲＯパックサーバーから指令を発令し、ＰＲＯ制御対象機器の運転を制御し需要電力調整を実施するネットワークシステム。
【発明の詳細な説明】
【００１】
【発明が属する技術分野】
ＰＲＯネットシステムを利用しＥＤ情報とＰＰＳ情報を集積かつ分析、電気需要家及びＰＰＳを最適なそれぞれのグループに分割し（それぞれが単独の場合を含む）、グループ同士での電力取引が円滑に遂行出来電力取引価格の低減が図れる様に工夫したビジネスモデルであり、電気需要家グループに対しては需要電力調整または電力遮断指令を、ＰＰＳグループに対しては効率をよくするための発電容量変更指令を、自動的に一括でかつ個々の電気需要家及びＰＰＳ別の事情に沿って発令出来るように、また電気需要家の予想電力使用量をＰＰＳに通知しより有利な電力の発電もしくは購入が出来るように助成し、実際のその各規定時限の電力使用量がＰＰＳに通知した予想電力使用量を上回らない様に需要電力調整を行うように工夫したインターネット等の通信手段を用いたネットワーク技術。
【００２】
【従来の技術】
従来は１つの電気需要家に対してその最大需要電力を計測し電気基本料金を算出していたため、同一企業でも所在地が分散していると、それぞれの所在地で計測された最大需要電力によりそれぞれの基本料金が算出され、最大需要電力の発生規定時限が所在地ごとでずれていても基本料金は、全ての最大需要電力値の合計値から計算されたものと等しかった。
【００３】
ＰＰＳは電気需要家グループによる契約上使用できる最大電力（以下契約電力と呼ぶ）を上回る電力需要のリスクに備え余裕をもった容量の発電設備を設置しなければならず、結果として稼働率の低下につながった。
【００４】
ＰＰＳ発電所が事故等を起こし電気需要家に対して電力供給が不可能となった場合電力会社からのバックアップ電力により停電の事態は免れるが、そのために電力会社と事故時補給の契約を締結する必要があり結果として電力取引価格が跳ね上がった。
【００５】
ＰＰＳ発電所と電気需要家が物理的に離れていて経由電力会社の送電線を経由して電力を託送する場合、経由電力会社に対しての振替供給料金により電力取引価格が跳ね上がった。
【００６】
電気設備が少ない電気需要家の場合消費電力量が比較的少ないため、結果として電力自由化後に電力料金が跳ね上がる可能性があった。
【００７】
【発明が解決しようとする課題】
電気需要家とＰＰＳの大量なＥＤ情報とＰＰＳ情報をインターネット等の通信手段を利用してＰＲＯパックサーバーに集積し分析できるネットワークを構築する。
【００８】
需要電力調整（電力遮断指令を含む）を多数の電気需要家へ、発電容量変更指令を多数のＰＰＳへ、同時期に自動的に一括でかつ個々の電気需要家およびＰＰＳ別の事情に沿って発令出来るネットワークを構築する。
【００９】
多数に存在する電気需要家とＰＰＳを電力取引価格の低減を目的としてそれぞれでグループを作り（それぞれが単独の場合を含む）、グループ同士での電力の取引が成立するようなビジネスモデルを作る。
【００１０】
ＰＰＳ発電所に事故等が生じた場合電気需要家の電力需要を自動的に一括でかつ個々の電気需要家別の事情に沿って制限または停止出来るネットワークを構築する。
【００１１】
ＰＰＳの提示する電力取引価格を一段と引き下げられるように、電気需要家グループが自らその需要電力調整をグループ内の一部または全体で自動的に一括でかつ個々の電気需要家別の事情に沿って行えるネットワークを構築する。
【００１２】
【課題を解決するための手段】
電気需要家にＰＲＯパックを設置してＥＤ情報を、またＰＰＳにＰＰＳ用ＰＲＯパックを設置してＰＰＳ情報をインターネット等の通信手段を介してＰＲＯパックサーバーにリアルタイムで伝送し、集積解析を行うネットワークを構築する。
【００１３】
需要電力調整（電力遮断指令を含む）をＰＲＯパックサーバーから電気需要家に設置したＰＲＯパックヘ、発電容量変更指令などをＰＰＳに設置したＰＰＳ用ＰＲＯパックへ自動的に一括でかつ個々の電気需要家及びＰＰＳ別の事情に沿ってインターネット等の通信手段を介してリアルタイムで発令出来るネットワークを構築する。
【００１４】
ＰＲＯパックからＰＲＯ制御対象機器の運転制御が、ＰＰＳ用ＰＲＯパックからＰＰＳ制御対象機器の運転制御が出来るようにする。
【００１５】
ＥＤ情報及びＰＲＯパックサーバーが独自に収集した環境情報などを元に予想電力使用量を予想しその値をＰＰＳ等に通知し、かつ実際のその各規定時限での電力使用量が既に通知された予想電力使用量を上回らない様ＰＲＯパックサーバーから指令を発令し、ＰＲＯ制御対象機器の運転を制御し需要電力調整が出来るようにする。
【００１６】
【発明の実施の形態】
ＰＲＯパック、ＰＰＳ用ＰＲＯパックをインターネット等の通信手段を用いて連結して、ＥＤ情報やＰＰＳ情報をＰＲＯパックサーバーに伝送する。
またＰＲＯパックサーバーから需要電力調整指令（電力遮断指令を含む）をＰＲＯパックへ、また発電量変更指令をＰＰＳ用ＰＲＯパックへ一括でかつ個々の電気需要家およびＰＰＳ別の事情に沿って発令できる一連のシーケンスを自動化した形態を持つ。
【００１７】
【実施例】
図１は、電気需要家に設置されたＰＲＯパックを中心とした接続実施例である。
【００１８】
この図において１１の電気需要家の電力使用量、最大需要電力を１の電力計量装置で計量し、７の電力データー通信線を介して５のＰＲＯパックへ情報が送られる。
その情報はリアルタイムで９のインターネット網を通じて１０のＰＲＯパックサーバーへ伝送される。
１０のＰＲＯパックサーバーには、他のＰＲＯパックからも同様の情報が伝送され、大量のＥＤ情報が集積される。
【００１９】
図２は、ＰＰＳに設置されたＰＰＳ用ＰＲＯパックを中心とした接続図である。
この図において２０のＰＰＳ発電所内の２１の発電駆動部のエネルギーにより２２の発電機が駆動され発電された電力は２３の電力線を経由して１１の電気需要家へ供給されるが、この時２４の発電量計測器で発電量が計測され、２７の発電量データー通信線を介して２５のＰＰＳ用ＰＲＯパックへ情報が送られる。
この情報は、リアルタイムで９のインターネット網を介して１０のＰＲＯパックサーバーへ伝送される。
１０のＰＲＯパックサーバーには、他のＰＰＳ用ＰＲＯパックからも同様の情報が伝送され大量のＰＰＳ情報が集積される。
【００２０】
１０のＰＲＯパックサーバーは、集積されたＥＤ情報ＰＰＳ情報を元に最適の取引条件でグループ同士が電力取引を円滑に遂行できるように電気需要家とＰＰＳそれぞれグループを作る。
【００２１】
需要電力調整を実施する場合１０のＰＲＯパックサーバーは９のインターネット網を介して電気需要家グループの５のＰＲＯパックに対して需要電力調整の指令を発令する。
指令を受けた５のＰＲＯパックは、その指令を１２の需要電力調整制御線を介して６のＰＲＯ制御対象機器を制御し電力量を低減したり、その使用時間帯をシフトしたりする。
この際ＰＰＳグループ側から見ればその電気需要家グループの需要電力調整は、電気需要家グループ全体で実行してもらえばよいわけで、仮にグループ内のＡという電気需要家で需要電力調整が不可能な場合でも同一グループ内のＢという電気需要家がＡの分を含めて需要電力調整を実行すればよいことになる。
【００２２】
発電容量を変動させる必要がある場合１０のＰＲＯパックサーバーは直ちに９のインターネット網を介して２０のＰＰＳ発電所内の２５のＰＰＳ用ＰＲＯパックへ発電容量変更指令を発令し、２６の発電容量変更指令制御線を介して２１の発電駆動部を制御して発電容量を変更する。
【００２３】
２０のＰＰＳ発電所に事故等が生じた場合２５のＰＰＳ用ＰＲＯパックは直ちに９のインターネット網を介して１０のＰＲＯパックサーバーへその情報を伝送し、状況に応じて５のＰＲＯパックに対して電力遮断指令を発令し、それを受けた５のＰＲＯパックは８の電力遮断制御線を介して３の電力遮断機を遮断させる。また事故が復旧した際は自動復帰させる。
【００２４】
【発明の効果】
電気需要家グループとＰＰＳグループとのグループ間での電力取引が円滑に遂行され、その結果電力取引価格が引き下げられる。
電気需要家グループ全体での需要電力調整により、一層の電力料金の低減が図れる。
負荷変動対応電力料金や事故時補給電力料金を削減できる。
電力託送時に発生する経由電力会社に対して支払う振替供給料金を低減できる。
予想電力使用量に対して実際の使用量が上回らない様に制御することにより無駄の無い廉価な電力を購入できる。
【図面の簡単な説明】
【図１】本発明の電気需要家に設置されたＰＲＯパックを中心とした接続実施例である。
【図２】本発明のＰＰＳに設置されたＰＰＳ用ＰＲＯパックを中心とした接続実施例である。
【符号の説明】
１，電力計量装置
２，電力線
３，電力遮断機
４，受電設備
５，ＰＲＯパック
６，ＰＲＯ制御対象機器
７，電力データー通信線
８，電力遮断機制御線
９，インターネット網
１０，ＰＲＯパックサーバー
１１，電気需要家
１２，需要電力調整制御線
２０，ＰＰＳ発電所
２１，発電駆動部
２２，発電機
２３，電力線
２４，発電量計量装置
２５，ＰＰＳ用ＰＲＯパック
２６，発電容量変更指令制御線
２７，発電量データー通信線